(57)【要約】【課題】  物品がどこにあるかいつでも検索できる物品管理装置を提供する。【解決手段】  ＩＣタグ通信手段を備えた物品管理装置に、管理したい物品名を装着されているＩＣタグの固有ＩＤ情報に関連付けて管理する物品管理データベースと、位置検出手段と、時計機能とを設けて、一定間隔毎に前記ＩＣタグ通信手段で検出されたＩＣタグのＩＤ情報が、前記物品管理データベースあれば、検出時刻および前記位置検出手段で取得した位置情報を記録していく。さらに、前記物品管理装置に警告手段を設け、前記物品管理データベースには、警告手段に関連した位置情報を記録することにより、ある特定の場所では警告を発しないようにした。さらに、前記ＩＣタグリーダで検出できなかったＩＣタグの組合せにより、選択する警告レベルを変更するようにし、緊急事態にはより高い警告を出すようにした。【選択図】  図１
2007018397.tif 000002
【特許請求の範囲】
【請求項１】
無線ＩＣタグと無線通信して該無線ＩＣタグのＩＤ情報を読み出すＩＣタグ通信手段を備えた物品管理装置であって、
前記物品管理装置は、時計機能と、該物品管理装置の位置を検出する位置検出手段と、無線ＩＣタグが装着されている物品名と該無線ＩＣタグのＩＤ情報が関連付けて記録されているＩＣタグ管理データベースと、該ＩＣタグ管理データベースのデータを管理するＩＣタグ管理手段とを有し、
前記ＩＣタグ管理手段は、定期的に前記ＩＣタグ通信手段が取得できた無線ＩＣタグのＩＤ情報を取得し、前記ＩＣタグ管理データベースに記録されているＩＤ情報と比較し、前記ＩＣタグ通信手段が取得できた無線ＩＣタグのＩＤ情報の中で前記ＩＣタグ管理データベースに記録されているＩＤ情報と一致するものがあれば、前記時計機能から取得した日時情報および前記位置検出手段から取得した位置情報をＩＣタグ管理データベースに記録することを特徴とした物品管理装置。
【請求項２】
前記物品管理装置に、無線ＩＣタグのＩＤ情報が記録されている所持品情報リストと警告手段を設け、
前記所持品情報リストは、ある時点での前記ＩＣタグ通信手段が検出可能なＩＣタグのＩＤ情報の中で前記ＩＣタグ管理データベースにあるＩＤ情報で構成され、
前記ＩＣタグ管理手段は、前記ＩＣタグ通信手段から取得した無線ＩＣタグのＩＤ情報と前記所持品情報リストに登録されているＩＤ情報とを比較し、前記ＩＣタグ通信手段から取得した無線ＩＣタグのＩＤ情報が不足していれば、前記警告手段に通知することを特徴とした請求項１記載の物品管理装置。
【請求項３】
前記ＩＣタグ管理データベースには無線ＩＣタグのＩＤ情報に関連付けられて警告を発しない除外位置情報が記録されており、前記ＩＣタグ管理手段は、前記ＩＣタグ通信手段から取得した無線ＩＣタグのＩＤ情報と前記所持品情報リストに登録されているＩＤ情報とを比較するとともに、前記ＩＣタグ管理データベースの除外位置情報を確認し、前記ＩＣタグ通信手段から取得した無線ＩＣタグのＩＤ情報が不足しており、かつ前記位置検出手段から検出した位置情報が該不足しているＩＤ情報をもつ無線ＩＣタグの除外位置情報外に有るときに前記警告手段に通知することを特徴とした請求項２記載の物品管理装置。
【請求項４】
前記物品管理装置に無線ＩＣタグのＩＤ情報と物品名を関連付けた位置情報データベースを設け、前記ＩＣタグ管理手段は、前記ＩＣタグ通信手段が取得した前記位置情報データベースのＩＣタグＩＤ情報を、前記ＩＣタグ通信手段が取得した前記位置情報データベースのＩＣタグＩＤ情報と同じ検出期間に取得した前記ＩＣタグ管理データベースに登録されているＩＤタグ情報に関連付けて記録することを特徴とした請求項１記載の物品管理装置。
【請求項５】
物品管理装置と管理サーバとで構成される物品管理システムであって、
物品管理装置は、無線ＩＣタグと無線通信して該無線ＩＣタグのＩＤ情報を読み出すＩＣタグ通信手段と、時計機能と、該物品管理装置の位置を検出する位置検出手段と、無線ＩＣタグが装着されている物品名と該無線ＩＣタグのＩＤ情報が関連付けて記録されているＩＣタグ管理データベースと、該ＩＣタグ管理データベースのデータを管理するＩＣタグ管理手段と、無線ＩＣタグのＩＤ情報が記録されている所持品情報リストと、広域通信機能とを有し、
管理サーバは、前記物品管理装置のＩＣタグ管理データベースの情報を含む、物品管理装置データベースと警告手段とを有し、前記警告手段には、複数のレベルの警告方法を設けられ、前記物品管理装置データベースには無線ＩＣタグのＩＤ情報と該無線ＩＣタグの警告レベルが関連付けて記録されており、
前記物品管理装置は、前記管理サーバと前記広域通信機能により定期的に通信して前記ＩＣタグ通信手段のＩＣタグのＩＤ情報取得結果を通知し、前記管理サーバは前記物品管理装置からの前記ＩＣタグ通信手段のＩＣタグのＩＤ情報取得結果を前記物品管理装置データベースに記録すると共に、前記所持品情報リストに登録されているＩＤ情報で、前記ＩＣタグ通信手段と通信できないＩＤ情報、あるいは物品管理装置からの定期的な通信が途絶えた場合の情報を所持品紛失情報として前記警告手段に通知し、前記警告手段は、前記所持品紛失情報と、前記物品管理装置データベースに記録されている警告レベルとから警告方法を選択することを特徴とした、物品管理システム。
【請求項６】
無線ＩＣタグと、該無線ＩＣタグと無線通信して該無線ＩＣタグのＩＤ情報を読み出すＩＣタグ通信手段を備えた携帯端末を用いた物品管理方法であって、
前記物品管理装置は、無線ＩＣタグが装着されている物品名と該無線ＩＣタグのＩＤ情報が関連付けて記録されているＩＣタグ管理データベースを有し、
前記ＩＣタグ通信手段から無線ＩＣタグのＩＤ情報を取得するステップと、
前記取得したＩＤ情報と前記ＩＣタグ管理データベースに記録されているＩＤ情報とを比較し、前記取得したＩＤ情報が前記ＩＣタグ管理データベースに記録されているＩＤ情報と一致するものがあれば、前記ＩＤ情報を取得した日時情報および取得した位置情報を前記ＩＣタグ管理データベースに記録するステップとを有することを特徴とした物品管理方法。
【請求項７】
無線ＩＣタグと、該無線ＩＣタグと無線通信して該無線ＩＣタグのＩＤ情報を読み出すＩＣタグ通信手段を備えた携帯端末を用いた物品管理方法であって、
前記物品管理装置は、ほぼ固定された位置にある無線ＩＣタグが装着されている物品名と該無線ＩＣタグのＩＤ情報が関連付けて記録されている位置検出用データベースを有し、
前記ＩＣタグ通信手段が取得できた無線ＩＣタグのＩＤ情報を、前記位置検出用データベースを参照することにより、前記取得できたＩＤ情報をもつ無線ＩＣタグが装着された物品の探索を行うことを特徴とした物品管理方法。
【発明の詳細な説明】
【技術分野】
【０００１】
本発明は、無線タグが付いた物品がユーザから離れたときに警告発する無線タグ管理システムや物品管理方法およびそれに用いる物品管理装置に関わり、特に、無線タグの組合せ、無線タグと位置との関係により状況を判断して警告を発信する無線タグ管理システムに関わる。
【背景技術】
【０００２】
従来、ＩＣタグを用いた忘れ物防止やセキュリティシステムとして、ＩＣタグリーダのＩＣタグ検出範囲内に登録されたＩＣタグが入ったり、出たりした場合にアラームを発してユーザに所持品の紛失を警告するセキュリティシステムが知られている。
例えば、特許第３５３２９１２号は電源の要らないＩＣタグを鞄や財布等の所持品に装着し、ユーザが所持するリーダ/ライタからの確認信号に前記所持品のＩＣタグが反応しなくなった場合に、置き忘れと判断してアラームを発し、ユーザに知らせるシステムである。
【０００３】
【特許文献１】特開２００４−２８７７１３号公報
【発明の開示】
【発明が解決しようとする課題】
【０００４】
解決しようとする問題点は、従来の方式では、ユーザが所有するほぼ全ての物品、さらに、ユーザが所有する物品以外にＩＣタグが装着されることについては考慮されおらず、他人が所有する物品を管理したり、あまり重要ではない物品においてもユーザから一定距離以上離れた場合にアラームを鳴らす。また、アラームを鳴らす必要の無い場所についても、考慮されておらず、ユーザの日頃の行動から、例えば、学校ではカバンはロッカーに入れる等により、ユーザから所持品が離れることがわかっている場合においても、常にアラームが鳴りことにより、ユーザはわずらわしさを感じ、日常はアラームを切断しておく等することにより、所持品の置き忘れ時にアラーム機能が働かない場合が考えられる。
本発明の目的は、あらゆるものにＩＣタグが装着された場合の所持品管理、および、前記ユーザの安全管理を行うことにある。
【課題を解決するための手段】
【０００５】
上記課題を解決する為に、本発明は、物品管理装置にＩＣタグ通信手段、ユーザの所有する物品を、その物品に装着されたＩＣタグのＩＤ情報に関連させて記録する所有物データベース、位置検出手段、時計機能とを設け、前記ＩＣタグ通信手段で検出されたＩＣタグのＩＤ情報を基に、前記所有物データベースに、検出位置の位置情報および日時情報を記録していく。
【０００６】
さらに、前記所有物データベースにユーザに警告する必要がない位置情報を追加し、外出時に所持品リストを作成し、前記ユーザへの警告は前記所持品リストに記録されているＩＤ情報が検出できず、かつ、前記所有物データベースの警告を発しない位置情報の外にいるときのみ警告を出すようにした。
さらに、所有物の組合せに対応した、警告レベルを設定し、所有品の状況により、発する警告方法を変更するようにした。
さらに、前記物品管理装置には携帯電話通信機能を設け、通信機能を有する管理サーバと接続し、前記外出時の所持品の管理情報を管理サーバに送信し、該管理サーバでの所持品の管理情報の管理を行う。
【０００７】
本発明の物品管理装置により、ＩＣタグが装着されているあらゆる所持品の有無および位置を管理することができ、ユーザは所望の物品を容易に探し出すことができる。さらに、ユーザの行動から外出時にユーザから離れることが容易に推測できる場所では警告を発しないようにできる為、ユーザはいちいちアラーム等を止める等、余分な動作をする必要がない。さらに、管理サーバでユーザの所持品を管理することにより、ユーザの保護者等がユーザに代わり、ユーザの所持品を管理でき、かつ、通信状況によってはユーザ自身の管理が可能になる。
【発明の効果】
【０００８】
本発明によれば、ＩＣタグが装着されている所持品の有無および位置等を容易に管理することができる。
【発明を実施するための最良の形態】
【０００９】
以下、本発明の実施の形態について図面を参照しながら説明する。
【実施例１】
【００１０】
図１は本発明装置の１実施形態を示す全体構成図である。１は登録された所持品との通信記録により所持品を管理する物品管理装置、２０は前記物品管理装置１のユーザの所有物、例えば、鞄や帽子、時計等に装着された無線ＩＣタグである。
【００１１】
物品管理装置１は、例えば、携帯電話や携帯情報端末であって、ＩＣタグリーダ１４、ＩＣタグ管理機能１３、所有物データベース１５、位置検出機能１１、時計機能１２を備える。なお、必要に応じて、表示手段、入力手段があっても構わない。位置検出手段１１は、ＧＰＳあるいは位置が特定されている無線基地局と通信する等により物品管理装置１の現在位置を検出し、位置情報を出力する手段である。ＩＣタグリーダ１４は、物品管理装置１の外部にあるＩＣタグ２０と無線通信して、ＩＣタグのＩＤ情報を読み取る。
【００１２】
ここで、ＩＣタグ２０は、固有ＩＤを持ち、ある特定の周波数の無線電波をＩＣタグリーダから受けると、前記固有ＩＤを含む情報を前記ＩＣタグリーダに送信する非接触型の識別媒体であり、ＩＣタグの構成図の一例を図２に示す。
ＩＣタグ２０は、アンテナ等で無線信号を受信する無線通信手段２６、信号の処理を行うロジック処理手段２７、固有のＩＤ情報が格納されているメモリ２８で構成される。ＩＣタグ２０は、前記物品管理装置１のＩＣタグリーダから通信可能な周波数の無線電波を受信すると、メモリ２０に記録されているＩＤ情報をＩＣタグリーダに送信する。  
なお、図２ではＩＣタグの最低限の構成を示したが、本発明に使用するＩＣタグは、他にもＣＰＵが搭載されていてＩＣタグ側で高度な処理を行うＩＣタグでもよいし、メモリは固定のＩＤ以外にＩＣタグリーダ/ライタで書き込み可能な領域を持つメモリを使ったＩＣタグでもよい。
【００１３】
図３にＩＣタグリーダのＩＣタグ読み取り範囲の説明図を示す。５０は物品管理装置1内にあるＩＣタグリーダ１４の通信可能な範囲であり、２０、２１、２２，２３はＩＣタグである。ＩＣタグリーダからＩＣタグを検索すると、通信可能な範囲５０の内にあるＩＣタグ２０、２１、２２が検出され、各々のＩＤ情報が取得できる。通信可能な範囲５０の外にあるＩＣタグ２３とは通信できないため、この位置には無いと判断する。ここで、ＩＣタグリーダが検索できたＩＣタグが装着した物品が、ユーザの所持品とすると、所持品はＩＣタグ２０、２１、２２が貼り付けられている物品となる。なお、図１ではＩＣタグリーダは前記物品管理装置１に内蔵している例を示しているが、ケーブルやコネクタ等による外付け、あるいは近距離無線接続可能なＩＣタグリーダでもかまわない。また、ＩＣタグリーダは、ＩＣタグへのデータ書き込み機能がある、ＩＣタグリーダ／ライタでも構わない。
【００１４】
所有物データベース１５は、物品管理装置１のユーザの所有物で、物品管理装置１と通信可能な無線通信手段を有するＩＣタグが装着されている所有物のリスト、ＩＣタグリーダと最後に通信した日時情報と位置情報が記録されている。
【００１５】
所有品データベースに蓄積されている情報の一例を図４に示す。３１はＩＣタグのＩＤ情報、３２は所有物の品名、３３は最後にＩＣカードリーダ１４と通信した位置、３４は最後にＩＣカードリーダ１４と通信した時刻を示している。図４の所有物データベースの記録から、例えば、鞄はＩＤ情報が123456789であり、2005年02月23の１２時に家で所持していたことがわかる。なお、図４の位置は、特定の場所の名前で表示しているが、所有品データベース内部では、緯度、経度等のデータや、その他位置を表すデータで記録されている。また、図４で示した所有品のデータベースの登録項目は最小限の例であり、所有品の特徴等、その他の項目が記録されるようになっていても構わない。なお、所有物データベース１５の作成方法については、後で説明する。
【００１６】
ＩＣタグ管理機能１３は、ＩＣタグの管理プロセスが記述されている所有物を管理する機能であり、定期的にＩＣタグリーダ１４にＩＣタグ検索命令を出すことによりＩＣタグリーダの通信可能な範囲にあるＩＣタグのＩＤ情報を取得し、位置検出手段１１に位置取得命令を出して現在位置の取得、時計機能１２からＩＣタグ検索時刻を取得し、取得したＩＣタグのＩＤ情報と所有物データベース１５に記録されているＩＤ情報との比較、検索位置、検索時刻および所持品ＩＤ情報を所持品データベースへの登録を行う。
【００１７】
ＩＣタグ管理手段のＩＣタグ管理方法の一例について、図５を用いて説明する。図５は、本発明のＩＣタグ管理手段のＩＣタグ管理フローチャートである。まず、物品管理装置１のＩＣタグ管理機能は、時計機能から時刻の取得１０１を行い、ＩＣタグを検索する時刻かどうか１０２を判断する。ここで、検索時刻はユーザあるいは工場出荷時等にあらかじめ設定されている時刻であり、時刻以外に、ＩＣタグの検索間隔である時間を見てもよい。ＩＣタグ管理機能が、検索時刻と判断すると、ＩＣタグ管理機能はＩＣタグリーダにＩＣタグ検索命令１０３を出し、ＩＣタグリーダに通信可能なＩＣタグすべてを検索させ、通信できたＩＣタグのＩＤ情報を取得１０４する。
【００１８】
ＩＣタグ管理機能は、取得したＩＤ情報を所有者データベースで参照し、ＩＤ情報が一致した物品があれば、位置情報を取得し１０７、位置情報および所有品データベースに記録する。この作業について前出した図３を用いて説明すると、ＩＣタグリーダはＩＣタグ２０、２１、２２が通信可能な範囲にあり、ＩＤ情報を読み取れることができるが、例えば、ＩＣタグ２２が所有者データベースに無い場合、ユーザの所有品ではないと判断し、ＩＤ情報を破棄する。これにより、他人の所有物を誤って管理することがない。
【００１９】
上記抽出したＩＤ情報に対応する所有者データベースに、ＩＤ情報が得られた日時および位置を所有品データベース１６に登録する。以下、定期的に、上記動作を繰り返し、所有品データベースに常に所持品の位置を蓄積していく。この所有品データベースを閲覧することにより、ユーザはいつ、どこで、所有物を持っているかを確認することができる。また、紛失した所持品を検出することができる。
【００２０】
次に、本発明の所有物管理端末を用いて所有物データベースに所有物を登録する方法について、説明する。
図６に本発明の所有物管理端末に所有物登録機能をつけた場合の、所有物管理端末の構成図を示す。図１と同じものには、同じ番号を付しており、説明は省略する。５１は入力手段であり、５２は出力切り替えが可能なＩＣタグリーダである。入力手段５１は、ユーザが所有物管理端末１の外部ボタンや、表示画面に表示されたボタンであり、ＩＣタグ管理手段１３で指定されたモード切り替えのためのボタンを押すことにより、ＩＣタグの読み取りモードが登録モードになったと判断し、ＩＣタグ管理手段は、ＩＣタグリーダに登録モードでの動作を要求する。
【００２１】
登録モードでの動作を要求されたＩＣタグリーダは、ＩＣタグ読み取りのための通信出力を下げる。これにより、ＩＣタグリーダは近接したＩＣタグのＩＤ情報のみを読み取れるようにできる。この状態で、登録したい所有品を所有物管理端末１に近づけることにより、ＩＤ情報の登録ができる。登録されたＩＤ情報への所有品名等の登録は、前記入力手段５２からユーザが入力するか、あるいは、所有物管理端末１にインターネット接続手段を設けて、インターネット上のＩＣタグ管理サーバから商品名として入手してもよい。
【００２２】
なお、本登録手段は、所有品データベースを作る一例であり、本発明の所有物管理システムにおいては、他の機器で所有品データベースを作っても構わないし、本所有物管理端末１を使った他の方法で、所有物データベースを作成しても構わない。
【００２３】
次にユーザが外出する場合にＩＣタグ管理を行う方法の別の一例について説明する
【実施例２】
【００２４】
図７は、ユーザの外出時の所持品を管理し、所持品がユーザを離れた場合に警告を出す場合の物品管理装置の一例を示す。図１および図６と同じものには同じ番号を付しており、説明は省略する。
物品管理装置６０は、警告機能６１と、所持品リスト６２を備える。
警告機能６１は、例えば、アラーム、物品管理装置を振動させる、あるいは、物品管理装置が表示手段を備えている場合は、該表示手段に警告文字を表示する等の警告を発生する機能である。
【００２５】
所持品リスト６２は、外出時にユーザが所持している物品に装着されているＩＣタグのＩＤ情報が記録されている。所持品リスト６２の作成は、例えば、外出時にユーザが入力手段５１を使って、ＩＣタグ管理機能１３にユーザが外出することを通知し、外出を通知されたＩＣタグ管理機能１３はＩＣタグリーダを使って通信可能なＩＣタグのＩＤ情報を取得し、該取得したＩＤ情報と前記所有物データベース６２を比較し、一致したＩＤ情報を所持品リスト６２として登録する。
物品管理装置６０は、前記所持品リスト６２にあるＩＤ情報を備えたＩＣタグが前記ＩＣタグリーダ１４と通信ができなくなった場合に、前記警告機能６１に通知し、警告を発生させる。この機能により、ユーザは外出時に所持していた物品が離れたことを知ることができる。
【００２６】
次に本発明の物品管理装置において、警告機能による警告を発する場合の制限を付ける手段について以下説明する。
図７における所有品データベース１５の一例を図８に示す。図４と同じものには同じ番号を付しており説明は省略する。所有品データベース１５は、図３ですでに説明した項目のほかに、警告除外場所７１および警告発生までの時間７２が記録されている。例えば、鞄を外出時に所持していた場合、ユーザがロッカーに入れるなどして明らかにユーザから離れることがわかっている場所に関しては、警告を発しない。また、所持品がユーザから離れる時間が、所有物データベースに設定されている時間より短ければ警告を発しない。
【００２７】
以上の物品管理装置６０の動作について図９の処理チャートを用いて説明する。なお図５と同じ処理については同じ番号を付し、説明は省略する。ＩＣタグ管理機能１３は、外出信号を受信１８０すると、ＩＣタグリーダにＩＣタグ検索開始命令を出し、外出時に所持している所持品のＩＣタグのＩＤ情報を取得する。ここで、外出信号とは、所有物管理端末１の入力手段であるいずれかのボタンをユーザが押してもいいし、外出を示すＩＣタグをＩＣタグに読み取らせることによりＩＣタグ管理手段に外出することを通知してもよい。ＩＣタグ管理手段は取得したＩＤ情報を所持品データベースに照合し、照合できたＩＣタグのＩＤ情報を所持品ＩＤ情報として、所持品リスト６２を作成１８１する。
【００２８】
次に、図５の処理と同様に、時刻の取得１０１から所有物データベースに登録１０８までの処理を行う。さらに、本発明では所持品リストにある物品の中で、検出できなかったＩＣタグの有無を判定し１８３、不足がある場合には位置情報が所有物データベース１５の除外位置情報内にあるか無いかを判定する。前記取得した位置情報が警告除外位置の範囲内であれば、警告を発しない。また、前記取得した位置情報が警告除外位置の範囲外であれば、警告を発してユーザに、所持品がユーザから離れたことを通知する。以上の動作をＩＣタグ管理手段は外出している間、定期的に繰り返す。
【００２９】
以上説明したように、本発明では、登録した場所では警告をださないので、ユーザは不要な警告解除にわずらわされることはない。また、警告除外場所においても、所持品の有無および無くなった位置等は記録されているため、置き忘れた所持品容易に探すことができる。
【実施例３】
【００３０】
図１０は本発明装置の物品管理システムの１実施形態を示す全体構成図である。
図１から図９と同じものには同じ番号を付してあり、説明は省略する。９０は物品管理装置であり、２は管理サーバ、３は携帯電話通信網、４はインターネット等のネットワーク、５は携帯電話通信網とインターネットをつなぐ携帯電話キャリアのサーバ、６は作業現場に設置される無線制御端末を示す。なお、携帯電話キャリアのサーバ５は、本発明の目的ではないため、説明は省略する。
【００３１】
物品管理装置８１は携帯電話通信手段８２を有し、ＩＣタグ管理機能１２は所持品データベースに登録するとともに、同様の所持品データを携帯電話通信手段９１を使って管理サーバに送信する。
【００３２】
管理サーバ２は、例えば、家庭内におかれているパソコン等で構築されたサーバであり、通信手段２０１、物品管理装置９０の所有物データベース１４を含む物品管理装置データベース２０３と、物品管理装置管理手段２０２と、警告手段２０４を備える。ここでの警告手段２０４は、アラームや警告画面の表示の他に、登録されている携帯電話へのメールあるいは音声での通知が考えられる。また、警告レベルは緊急度に応じてレベルわけされており、各所有品ごとに物品管理装置データベース２０３に警告レベルが設定されている。
【００３３】
物品管理装置９０は、物品の管理状況を所有品データベース１５に記録すると共に、携帯電話通信手段を通じて、管理サーバ２に同様のデータを送信する。
管理サーバ２では受信した物品管理装置９０のデータを物品管理装置データベースに記録するともに、必要に応じて警告を発する。
【００３４】
図１１に物品管理装置データベース２０３のデータ例を示す。図４と同じものには同じ番号を付しており、説明は省略する。
物品管理装置データベース２０３には、物品のＩＤ情報に関連付けられて、警告レベル２２１が設定されており、該当する所持品がユーザから離れた場合、管理サーバでは警告レベル２２１に合わせた警告を発生する。例えば、警告レベル１は物品管理装置データベース２０３への記録のみ、警告レベル２は表示手段への警告画面の表示、警告レベル３は登録された連絡先への通知等に警告手段が設定される。さらに図１１では、物品の組合せによっても警告レベルを変更できるようにしている。２２２は組合せのあるＩＤ情報および片方無くなった場合に警告を変更するか、両方が無くなった場合に警告レベルを変更するかを示しており、警告レベル２２３は変更後の警告レベルを示している。
【００３５】
ある特定の所持品は、例えば、お財布等、単体でユーザから離れて警告を出すが、例えば靴などの2個組で使うようなものの場合は、2個ほぼ同時に通信不可になったならば、通常の行動として警告を発しない。しかし、1個のみが通信不可になった場合、異常なことと判断し、警告を発する。さらに、緊急事態を想定して、特に警告を発生するための特定の所持品を予め設定しておき、物品管理装置のユーザの危険を知らせてもよい。
【００３６】
さらに、管理サーバ２で物品管理装置９０からの接続がない時間がある設定している時間より長くなった場合に、警告を発生するようにしてもよい。
以上、本発明の所持品管理システムにより、所持品を管理するのみならず、物品管理装置を所有しているユーザの安全を管理できる。また、所持品のデータはすべて管理サーバに登録されているため、物品管理装置自体を紛失しても、管理サーバで所持品管理端の位置を受信することにより、物品管理装置をさがすことが可能である。
【実施例４】
【００３７】
図１２は本発明装置の１実施形態を示す物品管理装置の構成図である。図１から図７と同じものには同じ番号を付してあり、説明は省略する。
物品管理装置２３０は、位置検出用データベース２３１を有する。位置検出用データベース２３１の一例を、図１３に示す。図１３は、ほぼ固定され動きが無い家具等の定位置にある物品のＩＣタグのＩＤ情報２３２と、品名２３３で構成されている。ＩＣタグ管理機能１３では、所有物のＩＣタグのＩＤ情報とともに、位置検出用データベース２３１に記録されているＩＣタグのＩＤ情報を読み込んだ場合に、一緒に所有品データベースに記録する。本発明により、ユーザが、ある特定の位置検出データベースに登録されている固定品の近くに所有物を置き忘れた場合に、容易に探すことができる。また、位置検出用のＩＣタグは、家具等の物にこだわらず、壁や柱に貼り付けて、その位置をもとに検索をすることも可能である。
【図面の簡単な説明】
【００３８】
【図１】本発明の第一の実施例の物品管理装置の構成説明図である。
【図２】本発明の第一の実施例のＩＣタグの構成説明図である。
【図３】本発明の第一の実施例のＩＣタグリーダがＩＣタグを検出する範囲の説明図である。
【図４】本発明の第一の実施例の物品管理システムの所有品データベースのデータ説明図である。
【図５】本発明の第一の実施例の物品管理装置の処理フロー説明図である。
【図６】本発明の第一の実施例の物品登録機能を持つ物品管理装置の構成説明図である。
【図７】本発明の第二の実施例の物品管理装置の構成説明図である。
【図８】本発明の第一の実施例の物品管理システムの所有品データベースのデータ説明図である。
【図９】本発明の第二の実施例の物品管理装置の処理フロー説明図である。
【図１０】本発明の第三の実施例の物品管理装置の構成説明図である。
【図１１】本発明の第三の実施例の物品管理システムの所有品データベースのデータ説明図である。
【図１２】本発明の第四の実施例の物品管理装置の構成説明図である
【図１３】本発明の第四の実施例の物品管理システムの位置検出用データベースのデータ説明図である。
【符号の説明】
【００３９】
１  物品管理装置
２  管理サーバ
３  携帯電話通信網
４  ネットワーク
６  無線制御機器
７  携帯電話通信手段
１１  位置検出機能
１２  時計機能
１３  ＩＣタグ管理機能
１５  所有物データベース
２０、２１，２２，２３  ＩＣタグ
６２  所持品リスト
２３１  位置検出用データベース
【図１】
2007018397.tif 000003
【図２】
2007018397.tif 000004
【図３】
2007018397.tif 000005
【図４】
2007018397.tif 000006
【図５】
2007018397.tif 000007
【図６】
2007018397.tif 000008
【図７】
2007018397.tif 000009
【図８】
2007018397.tif 000010
【図９】
2007018397.tif 000011
【図１０】
2007018397.tif 000012
【図１１】
2007018397.tif 000013
【図１２】
2007018397.tif 000014
【図１３】
2007018397.tif 000015